(57)【要約】【課題】  複数のアンカーボルトに高さ調節可能に取付けたレンジフードファンの捩じれを防止し、その捩じれ防止手段で、排気ダクトと共に、アンカーボルトを外部から視認不能に隠蔽して、内装性を向上させる【解決手段】  天井裏Ｄの固定部材ｄに一端側を固定した複数のアンカーボルトＢに高さ調節可能に取り付けたレンジフードファンＡを、天井パネルＰに複数箇所で固定された捩じれ防止用のブラケット６と、レンジフードファンＡとを複数箇所で固定し、該ブラケット６を、排気ダクトＥを外部から視認不能に隠蔽する天井パネルＰに固定したダクトカバー８で構成し、該ダクトカバー８と、レンジフードファンＡとの固定部Ｆは、一方を長孔２６、他方をその長孔２６で案内される弛緩・緊締可能な固定具ｆで構成する。【選択図】図３
2005049074.tif 000002
【特許請求の範囲】
【請求項１】
天井裏の固定部材に一端側を固定した複数のアンカーボルトに高さ調節可能に取り付けたレンジフードファンにおいて、該レンジフードファンを天井パネルまたは天井裏の固定部材に複数箇所で固定していることを特徴とする天井吊り下げ形レンジフードファン。
【請求項２】
天井裏の固定部材に一端を固定した複数のアンカーボルトに高さ調節可能に取り付けたレンジフードファンにおいて、天井パネルに複数箇所で固定された捩じれ防止用のブラケットと、レンジフードファンとを複数箇所で固定していることを特徴とする天井吊り下げ形レンジフードファン。
【請求項３】
前記捩じれ防止用のブラケットとレンジフードファンとの固定部は、一方が長孔、他方がその長孔で案内される弛緩・緊締可能な固定具で構成されていることを特徴とする請求項２記載の天井吊り下げ形レンジフードファン。
【請求項４】
前記捩じれ防止用のブラケットがレンジフードファンに接続される排気ダクトを外部から隠蔽するためのダクトカバーを兼ねていることを特徴とする請求項２または３記載の天井吊り下げ形レンジフードファン。
【請求項５】
天井裏の固定部材に一端を固定した複数のアンカーボルトに高さ調整可能に取り付けたレンジフードファンにおいて、複数のアンカーボルト相互をアンカーボルト固定ブラケットで接続していることを特徴とする天井吊り下げ形レンジフードファン。
【発明の詳細な説明】
【技術分野】
【０００１】
本発明は、レンジフードファン、更に詳しくは天井吊り下げ形のレンジフードファンに関するものである。
【背景技術】
【０００２】
従来、天井吊り下げ形のレンジフードファンは、天井裏の梁（固定部材）にアンカーボルトをキッチン室内の天井パネルを貫通させるように取り付けた後、前記アンカーボルトとレンジフードファンに設けられている懸架用ブラケットにナット等を使用して接続している。
【０００３】
図７がそのレンジフードファンである。
ところで、アンカーボルトＢを使用する理由は、ナットｎ等の締め付け位置を調節することによって天井パネルＰとレンジフードファンとの隙間を調節可能にして、キッチン天井の高低に関わらず、所定高さ位置にレンジフードファンを設置するためである。
また、レンジフードファンの全高が低い場合、キッチン天井の高さに合わせてレンジフードファンを設置した場合、加熱調理器具との間の距離が離れすぎてしまい、調理で発生した油煙等が十分捕獲できなくなることもある。
そのようなことから、懸架用ブラケット３に対するアンカーボルトＢの接続箇所を調節することによって、天井吊り下げ形のレンジフードファンの設置高さを適正に設定している。
そして、レンジフードファンは、フード体１から送風機カバー２を立設して、その送風機カバー２内に送風機Ｃを収容して、送風機Ｃが視認できないように隠蔽している。
しかしながら、前記設置構造では、垂直方向の荷重についてはアンカーボルトＢで受けられるものの、捩じれ方向についてもアンカーボルトＢ自体の強度に依存するしかなく、使用者が不用意にレンジフードファンに触れたりすると、レンジフードファンが捩じれによって大きく揺れ、アンカーボルトＢに無理な負荷を掛けて設置強度の信頼性を低下させたり、使用勝手を悪くしてしまう。
前記天井吊り下げ形のレンジフードファンの吊持構造に関する先行技術文献は、出願人としては不知である。
【発明の開示】
【発明が解決しようとする課題】
【０００４】
本発明が上記従来事情に鑑みてなされたものでは、その目的とする処は、複数のアンカーボルトに吊持状に取り付けられたレンジフードファンの捩じれを防止することにある。
他の目的とする処は、前記捩じれを防止する手段で、排気ダクトと共に、アンカーボルトを外部から視認不能に隠蔽して、内装性を向上させることにある。
【課題を解決するための手段】
【０００５】
前記課題を解決するために講じた技術的手段は、天井裏の固定部材に一端側を固定した複数のアンカーボルトに高さ調節可能に取り付けたレンジフードファンにおいて、該レンジフードファンを天井パネルまたは天井裏の固定部材に複数箇所で固定していることを特徴とする天井吊り下げ形レンジフードファン（請求項１）。
【０００６】
以上の手段は、レンジフードファンの荷重をアンカーボルトで受け止め、レンジフードファンに生じる捩じれ力を天井パネルまたは天井裏の固定部材との固定部で受け止める。
【０００７】
また、天井裏の固定部材に一端を固定した複数のアンカーボルトに高さ調節可能に取り付けたレンジフードファンにおいて、天井パネルに複数箇所で固定された捩じれ防止用のブラケットと、レンジフードファンとを複数箇所で固定しても良いものである（請求項２）。
ここで、捩じれ防止用のブラケットは、高さを異にする各種を用意して、キッチン天井の高さに対応すること自由なものである。
【０００８】
以上の手段は、レンジフードファンに発生する捩じれ力を捩じれ防止用の専用ブラケットと天井パネルとの固定部とで受け止める。
【０００９】
そして、前記捩じれ防止用のブラケットとレンジフードファンとの固定部は、一方が長孔、他方がその長孔で案内される弛緩・緊締可能な固定具で構成すると好適なものとなる（請求項３）。
【００１０】
上記手段は、捩じれ防止用のブラケットがキッチン天井の高低に関わりなく所定高さに吊持状に設置するレンジフードファンの捩じれを防止する。
【００１１】
その上、捩じれ防止用のブラケットがレンジフードファンに接続される排気ダクトを外部から隠蔽するためのダクトカバーを兼ねていると最適である（請求項４）。
【００１２】
以上の手段では、捩じれ防止用のブラケットがキッチン天井の高低に関わりなく所定高さに吊持状に設置するレンジフードファンの捩じれを防止する上、ダクトカバーが排気ダクトと共にアンカーボルトを視野に入れない化粧カバーとして機能する。
【００１３】
天井裏の固定部材に一端を固定した複数のアンカーボルトに高さ調整可能に取り付けたレンジフードファンにおいて、複数のアンカーボルト相互をアンカーボルト固定ブラケットで接続する構成を採用すると、天井パネルに固定することなくレンジフードファンの捩じれを防止する（請求項５）。
【発明の効果】
【００１４】
本発明は以上のように、天井裏の固定部材に一端側を固定した複数のアンカーボルトに吊持したレンジフードファンを天井パネルまたは天井裏の固定部材に複数箇所で固定したから、不用意に振れたり、清掃時の拭き取り力等によってアンカーボルトでは防止できない大きな揺れ力が作用することがあっても、アンカーボルトに無理な負荷を掛けることなくレンジフードファンの揺れを防止し、使用勝手を向上させることができる（請求項１）。
【００１５】
しかも、捩じれ防止用のブラケットを使用した場合には、その揺れ力がレンジフードファンとそのブラケットとの固定部と、そのブラケットと天井パネルとの固定部とに分散するので、天井パネルを傷めたり、損傷させる虞れがなく、耐久性をアップさせることができる。（請求項２）。
その上、そのブラケットとして、高さを異にする複数種を用意することによってキッチン天井の高低に関わらず所定高さ位置にレンジフードファンを設置できる利点を有する。
【００１６】
そして、前記捩じれ防止用のブラケットとレンジフードファンとの固定部の一方を長孔、他方をその長孔で案内される弛緩・緊締可能な固定具で構成した場合には、レンジフードファンの捩じれを防止することができる上、敢えて高さを異にする複数種のブラケットを用意せずともキッチン天井の高低に関わらず所定高さにレンジフードファンを設置できる（請求項３）。
【００１７】
その上、捩じれ防止用のブラケットがレンジフードファンに接続される排気ダクトを外部から隠蔽するためのダクトカバーを兼ねているので、レンジフードファンの捩じれを防止する手段が排気ダクト、アンカーボルトを視野に入れないように隠す化粧カバーとして機能し、部品点数を削減した上に内装性を向上させることができる（請求項４）。
【００１８】
また、複数のアンカーボルト相互をアンカーボルト固定ブラケットで接続していると、天井パネルに固定せずにレンジフードファンの捩じれが防止できるため、天井パネルに全く負担が掛からず、天井パネルの強度に制約や不安がある場合に好適である。
【発明を実施するための最良の形態】
【００１９】
レンジフードファンは、頂面上に送風機カバーを立設し、その送風機カバーと天井パネルとの間を天井パネルに複数箇所で固定した捩じれ防止ブラケットで閉塞する。
【００２０】
捩じれ防止ブラケットは、排気ダクトを外部から隠蔽するためのダクトカバーを兼務してなり、送風機カバーとの固定部として、複数の長孔と、その長孔で案内される弛緩・緊締可能な複数の固定具を備えている。
【００２１】
そして、加熱調理器具から所定の高さにレンジフードファンをアンカーボルトで吊持してから、長孔の調整代を利用して高さ調整して固定具で固定してその調整量を複数箇所で調整した後、捩じれ防止ブラケットを天井パネルに複数箇所で固定して、その捩じれ防止ブラケットでレンジフードファンの捩じれを防止し、尚且つその送風機カバーと捩じれ防止ブラケットとがアンカーボルトを完全に隠す。
【実施例１】
【００２２】
次に、本発明天井吊り下げ形レンジフードファンの実施の形態を説明すると、図１は第１の実施の形態を示している。
符号Ａはレンジフードファン、Ｂはアンカーボルトである。
【００２３】
レンジフードファンＡは、下面を開放した略ラッパ形状のフード体１の頂面に送風機カバー２を立設し、その送風機カバー２の中途部に横断状に設けられた横架ブラケット１２に送風機Ｃを吊持状に取付け、同横架ブラケット１２にアンカーボルトＢの懸架用ブラケット３を設けて構成されている。
【００２４】
前記送風機カバー２は、下面を開放した矩形筒状を呈しなり、高さを異にする複数種が製作用意されており、上面部には、天井裏Ｄの固定部材ｄに一端側である上端側を固定した複数のアンカーボルトＢ各々を内部に挿入させる挿入孔２２が開孔されている。
【００２５】
前記懸架用ブラケット３は、前記挿入孔２２から送風機カバー２内に挿入されるアンカーボルトＢに対応する横架ブラケット１２部位から立設する逆Ｌ字金具１３の水平片部１３１に切欠き１３１ａを切欠形成し、アンカーボルトＢの下端側に上下動可能に螺装された２個の締結用のナット部材２３、２３でその水平片部１３１を挟持固定するようになっている。
【００２６】
前記レンジフードファンＡは、その下方開放縁との間を吸気空間Ｓとする整流板４をフード体１内に配置し、その背後にフィルタ５を設置して、その油煙を含む廃ガスをその吸気空間Ｓから流速を速めて吸気してフィルタ５で油脂分を除去し、前記送風機Ｃの吐出口に接続された排気ダクトＥから屋外に排気されるようになっている。
【００２７】
前記送風機カバー２には、その上面部に前記排気ダクトＥの取り出し口３２が開口されて、天井裏Ｄ空間に排気ダクトＥが配管できるようになっている。
前記アンカーボルトＢは、本実施の形態では排気ダクトＥを囲むように配した４本でレンジフードファンＡを吊持するようになっている。
また、前記する挿入孔２２は、ナット２３類よりも一回り大径に開孔してある。
【００２８】
以上のように構成された第１の実施の形態の吊り上げ形レンジフードファンは、所望する全高のレンジフードファンＡと、キッチン天井の高低との兼ね合いで所要高さの送風機カバーを選択し、フード体１の頂面にその送風機カバー２を立設状に組み付けた状態で施工現場に搬入する。
施工現場では、作業者一人がレンジフードファンＡを支持しつつ前記挿入孔２２からナット２３、２３を螺装するアンカーボルトＢの下端側が挿入されるように持ち上げる。そして、もう一人の作業者が送風機カバー２に形成されている開閉可能な操作口（図示せず）から、長尺なアンカーボルトＢの弾性を利用して、上下方向に離間状態のナット２３、２３間のアンカーボルトＢ部分を開放部から切欠き１３１ａに差し入れ、上下のナット２３、２３を挟持状に締結した後、送風機カバー２の上面部複数箇所を天井パネルＰにネジｆ止めして固定部Ｆを構成する。尚、送風機カバー２は、天井裏Ｄの固定部材ｄである梁に固定したボルトにその上面部を固定しても良いものである。
これによってレンジフードファンＡの設置施工は完了する。
【００２９】
このレンジフードファンＡでは、その荷重は複数のアンカーボルトＢで受け止め、捩じれ力は送風機カバー２と天井パネルＰの複数の固定部Ｆで受け止めることができる。
【実施例２】
【００３０】
次に図２に示す第２の実施の形態を説明すると、この実施の形態は、レンジフードファンＡのフード体１から立設した送風機カバー２を捩じれ防止用のブラケット６を介して天井パネルＰに複数箇所で固定したものである。
【００３１】
前記する捩じれ防止用のブラケット６は、一端側である上端側に外向フランジ１６を折曲形成した帯状片であり、長さを異にする複数種が製作用意されている。
尚、捩じれ防止用のブラケット６は、送風機カバー２に下端側を内嵌されてネジ止めされる筒状体であっても差し支えないものである。その場合には、上端側に天井パネルにネジ止めされる前記外向フランジを周設して対処する。
他の構成は、前記する第１の実施の形態と同様であるため、同一符号を付し、具体的説明は省略する。
【００３２】
この第２の実施の形態の吊り下げ形レンジフードファンは、所定高さの送風機カバー２を立設したレンジフードファンＡと、キッチン天井の高低との兼ね合いをもって選択された所要高さの捩じれ防止用のブラケット６必要本とを施工現場に搬入する。捩じれ防止用のブラケット６必要本は、工場もしくは施工現場でその下端側を送風機カバー２の上端側の内面にネジｆ止めする。
そして、前記する第１の実施の形態と同様に作業者一人がレンジフードファンＡを支持しつつ前記挿入孔２２からナット２３、２３を螺装するアンカーボルトＢの下端側が送風機カバー２内に挿入されるように持ち上げる。そして、もう一人の作業者が送風機カバー２に形成されている開閉可能な操作口（図示せず）から、長尺なアンカーボルトＢの弾性を利用して、上下方向に離間状態のナット２３、２３間のアンカーボルトＢ部分を開放部から切欠き（図示せず）に差し入れ、上下のナット２３、２３を挟持状に締結する。そして、捩じれ防止用のブラケット６の上端側の外向フランジ１６を天井パネルＰにネジｆ止めして固定部Ｆを形成する。
これによってレンジフードファンＡは所定設置高さに固定される。
【実施例３】
【００３３】
次に図３及び図４に示す第３の実施の形態を説明すると、この第３の実施の形態は、前記捩じれ防止用のブラケット６を送風機カバー２に内嵌する筒状にしてダクトカバー８として兼務させ、その捩じれ防止用のブラケット６に送風機カバー２との弛緩・緊締可能な固定具（ネジ）ｆ案内用の長孔２６を開孔したものである。
【００３４】
前記捩じれ防止用のブラケット６は、前記する第１の実施の形態と同様に長さを異にする複数種が製作用意され、一端側である上端側には外向フランジ１６が周設されている。
【００３５】
前記長孔２６は、送風機カバー２の側面部に少なくとも対向する位置２箇所を含む複数箇所に開孔し、その長孔２６の調整量でキッチン天井の高低に関わらず、レンジフードファンＡを所定設定高さ位置に設置した上で排気ダクトＥ、アンカーボルトＢを外部から見えないように隠すようになっている。
設置施工については、前記第２の実施の形態と同様であるため、同一符号を付し、説明は省略する。
【実施例４】
【００３６】
更に図５及び図６に示す第４の実施の形態を説明する。この実施の形態は、複数のアンカーボルトＢ…相互をアンカーボルト固定ブラケット７で一体的に接続して、天井パネルＰに全く負担を掛けずにレンジフードファンＡの捩じれを防止するものである。
【００３７】
アンカーボルト固定ブラケット７は、図６に示すように排気ダクトＥとの干渉を避ける中央空間を有する矩形枠状に形成されており、各コーナー部分にアンカーボルトＢの通し孔１７を開孔している。
【００３８】
一方、各アンカーボルトＢにはその途中高さ位置に前記アンカーボルト固定ブラケット７を上下から挟持状に締結するナット２７、２７を螺嵌している。
【００３９】
以上のように構成された第４の実施の形態の吊り下げ形のレンジフードファンは、前記する第１の実施の形態と同様に長尺なアンカーボルトＢの弾性を利用して、上下方向に離間状態のナット２３、２３間のアンカーボルトＢ部分を開放部から切欠き（図示せ）に差し入れて上下のナット２３、２３を挟持状に締結した後、送風機カバー２と天井パネルＰとの間でアンカー固定ブラケット７を上下のナット２７、２７で挟持状に締結することによって、捩じれ防止機構を構成している。
【００４０】
この実施の形態ではキッチン天井高さが高い結果、非常に長いアンカーボルトを使用しなければならない場合に、高さ方向複数箇所にアンカーボルト固定ブラケット７を配設することによって、捩じれを効率良く防止できる。
【図面の簡単な説明】
【００４１】
【図１】本発明天井吊り下げ形レンジフードファンの第１の実施の形態の縦断面図。
【図２】同第２の実施の形態の使用状態を示す縦断面図で拡大し一部切欠して示す。
【図３】同第３の実施の形態の使用状態を示す縦断面図で拡大し一部切欠して示す。
【図４】同第３の実施の形態において、捩じれ防止用のブラケットと、送風機カバーとの関係を示す分解斜視図。
【図５】同第４の実施の形態の使用状態を示す縦断面図で拡大し一部切欠して示す。
【図６】要部の斜視図。
【図７】従来の天井吊り下げ形レンジフードファンの縦断面図。
【符号の説明】
【００４２】
Ａ：レンジフードファン                １：フード体
２：送風機カバー                      Ｃ：送風機
ｄ：固定部材                          Ｂ：アンカーボルト
６：捩じれ防止用のブラケット          Ｐ：天井パネル
２６：長孔                              Ｆ：固定部
Ｅ：排気ダクト                        ８：ダクトカバー
７：アンカーボルト固定ブラケット      ｆ：固定具（ネジ）
Ｄ：天井裏
【図１】
2005049074.tif 000003
【図２】
2005049074.tif 000004
【図３】
2005049074.tif 000005
【図４】
2005049074.tif 000006
【図５】
2005049074.tif 000007
【図６】
2005049074.tif 000008
【図７】
2005049074.tif 000009